(57)【要約】【課題】  ミシン目の不測の損傷を効果的に防止して、当該ミシン目の損傷に基づく内封物の情報漏洩等を有効に防止し得る封筒を形成可能な封筒用シートを提供する。【解決手段】  一定幅のシートからなり、長手方向に折り畳み、所定箇所を接着することにより封筒として形成される封筒用シートである。折り畳み状態で重なり合う面の両端部に連続的または断続的に設けられた封筒形成用の強接着部１０と、この強接着部１０の内側に設けられた、当該強接着部１０の切り離しを誘因するミシン目１５とを備え、折り畳み状態で重なり合う面の両端部であってミシン目１５の内側に剥離可能な弱接着部１１が設けられている。【選択図】        図４
2006182435.tif 000002
【特許請求の範囲】
【請求項１】
所定幅および長さのシートからなり、長手方向に折り畳み、所定箇所を接着することにより封筒として形成される封筒兼用封書用シートであって、
折り畳み状態で重なり合う面の両端部に連続的または断続的に設けられた封筒形成用の強接着部と、この強接着部の内側に設けられた、当該強接着部の切り離しを誘因する切断誘因手段とを備え、
上記折り畳み状態で重なり合う面の両端部であって上記切断誘因手段の内側に剥離可能な弱接着部が設けられていることを特徴とする封筒兼用封書用シート。
【請求項２】
上記切断誘因手段は、少なくとも上記強接着部を切り離すためのミシン目により構成されていることを特徴とする請求項１記載の封筒兼用封書用シート。
【請求項３】
上記弱接着部は、強接着部に隣接した状態で上記切断誘因手段を跨いで設けられていることを特徴とする請求項１または請求項２記載の封筒兼用封書用シート。
【請求項４】
上記弱接着部は、折り畳み状態で重なり合う面の間に介在する接着層とインク層とを含むことを特徴とする請求項１ないし請求項３のいずれか１項に記載の封筒兼用封書用シート。
【請求項５】
上記弱接着部は、折り畳み状態で重なり合う面の一方に上記接着層が形成され、他方にインク層の上層に接着層が積層され、各接着層が重ね合わされた状態で加圧されて接着されることにより形成されることを特徴とする請求項４記載の封筒兼用封書用シート。
【請求項６】
上記強接着部は、折り畳み状態で重なり合う面のそれぞれに接着層が形成され、各接着層が重ね合わされた状態で加圧されて接着することにより形成されることを特徴とする請求項５記載の封筒兼用封書用シート。
【請求項７】
上記弱接着部および強接着部の接着層は、ともに同一の素材により構成されていることを特徴とする請求項６記載の封筒兼用封書用シート。
【請求項８】
上記弱接着部は、シート折り畳み状態で切断誘因手段の全長または略全長に亘って並設されていることを特徴とする請求項１ないし請求項７のいずれか１項に記載の封筒兼用封書用シート。
【発明の詳細な説明】
【技術分野】
【０００１】
本発明は、所定幅および長さの一枚のシートに情報を記載するとともに、当該シートを折り畳み、所定箇所を接着することにより封筒が形成される封筒兼用封書用シートに関する。
【背景技術】
【０００２】
従来から、所定幅及び長さのシートに顧客等の個人情報などが打ち出され、このシートが長手方向に折り畳まれ、所定箇所が接着されることにより封筒として形成される封筒兼用封書用シートが知られている。このような封筒兼用封書用シートは、封筒を構成するシートそのものが情報伝達媒体として機能するため、送付先で封筒を開封展開することにより各種情報を伝達することができ、これによりゴミ等の発生を抑制することができることから、近年急速に普及してきている。
【０００３】
このような封筒兼用封書用シートとして、例えば、上記封筒を構成する一対の封筒本体片と、該一対の封筒本体片の一端部に折目を介して連設される封緘片と、上記一対の封筒本体片の間に折り畳んだ際に互いに重なり合う面の左右両端縁部に略連続的に設けられた封筒形成用接着部と、上記封緘片を折り返した状態で上記封筒本体片と互いに重なり合う面に設けられた、上記封筒の開口部を封緘するための封緘用接着部とを有し、送り先でこの封筒を開封展開するべく、上記封筒形成用接着部を切り離すためのミシン目等の切断誘因手段が設けられたものが知られている（例えば特許文献１参照）。そして、この封筒兼用封書用シートにおいて伝達すべき情報量が多い場合には、封筒本体片の上記封緘片が連設された端縁と反対側の端縁に各種情報が記載された情報シート片が連設されたり、別個独立の内封物をこの封筒内に封入したりすることが行われている。
【特許文献１】特開平１１−１４７５４１号公報
【発明の開示】
【発明が解決しようとする課題】
【０００４】
ところが、上記特許文献１記載のシートによって形成された封筒では、例えば情報シート片が連設されている場合や内封物が封入されている場合、特に情報シート片や内封物の量（片数、枚数）が多い場合には、これら内封物等が嵩張って封筒形成用接着部が設けられた封筒の両端部と封筒の中央部との間で僅かに段差を生じ、この段差に起因して切断誘因手段であるミシン目に直接外力が作用して当該ミシン目の一部が不測に破断する虞があった。このミシン目の破断は、投函してから送り先に送られるまでの郵送行程（例えば自動仕分け装置での仕分け行程）で起こりやすく、この郵送行程でミシン目が破断すると、この破断箇所を通じて情報シート片や内封物等が露出したり、場合によっては脱落したりする虞があった。
【０００５】
本発明は、上記事情に鑑みてなされたものであり、郵送行程で封筒に外力が作用した場合でも、ミシン目等の切断誘因手段の不測の損傷を効果的に防止して、当該切断誘因手段の損傷に基づく内封物の情報漏洩等を有効に防止し得る封筒を形成可能な封筒兼用封書用シートを提供することを目的とする。
【課題を解決するための手段】
【０００６】
上記目的を達成するため、この発明に係る封筒兼用封書用シートは、  所定幅および長さのシートからなり、長手方向に折り畳み、所定箇所を接着することにより封筒として形成される封筒兼用封書用シートであって、折り畳み状態で重なり合う面の両端部に連続的または断続的に設けられた封筒形成用の強接着部と、この強接着部の内側に設けられた、当該強接着部の切り離しを誘因する切断誘因手段とを備え、上記折り畳み状態で重なり合う面の両端部であって上記切断誘因手段の内側に剥離可能な弱接着部が設けられているものである。ここで、「弱接着部」とは、封筒兼用封書用シートを封筒として折り畳んだ状態で、重なり合う面が剥離可能に接着された部分をいい、「強接着部」とは、封筒として折り畳んだ状態で、重なり合う面をが永久接着された部分をいい、ともに折り畳み、接着状態（封筒の状態）で弱接着部及び強接着部を構成するものであれば、シートの状態での具体的構成は特に限定されるものではない。
【０００７】
この発明によれば、上記折り畳み状態で重なり合う面の両端部であって上記切断誘因手段の内側に剥離可能な弱接着部が設けられているので、この封筒兼用封書用シートにより構成された封筒に外力が作用しても、例えばこの封筒の両端部と中央部との間の厚み差に起因して郵送行程で外力が作用しても、切断誘因手段には当該外力が直ちかつ直接的に作用せず、まず弱接着部に当該外力が作用することになる。従って、このシートにより構成される封筒について、切断誘因手段における不測の破断等の損傷を効果的に防止することができ、これにより例えば郵送行程で内封物が露出する等の情報漏洩を有効に防止することができる。しかも、この封筒兼用封書用シートにより構成される封筒においては切断誘因手段の内側に弱接着部が設けられるので、送付先で封筒を展開する場合には、切断誘因手段に従って強接着部を切り離してから弱接着部を剥離させればよく、封筒兼用封書用シートに表示された情報を損傷することなく容易に展開することができる。
【０００８】
上記切断誘因手段は、その具体的構成は特に限定されるものではなく、例えばシートの長手方向に沿って切り込まれた切欠きとこの切欠きの先端に連設された折目等であってもよいが、上記切断誘因手段は、少なくとも上記強接着部を切り離すためのミシン目により構成されるのが好ましい（請求項２）。
【０００９】
このように構成すれば、切断誘因手段を簡易に設けることができるとともに、ミシン目に沿って封筒を容易に開封することができる。
【００１０】
上記弱接着部は、強接着部に隣接した状態で上記切断誘因手段を跨いだ状態で設けられているのが好ましい（請求項３）。
【００１１】
すなわち、上記弱接着部は、強接着部と離間して設けられるものであってもよいが、多くの情報を記載する観点から、強接着部と隣接して設けられるものが好ましく、この場合には、弱接着部と強接着部との間に切断誘因手段が位置するものであってもよいが、製造過程の誤差により切断誘因手段の内側に強接着部が配置されないように弱接着部が切断誘因手段を跨いで、言い換えれば切断誘因手段が弱接着部を縦断して設けられるのが好ましい。
【００１２】
また、上記弱接着部の具体的構成は特に限定されるものではないが、上記弱接着部が、折り畳み状態で重なり合う面の間に介在する接着層とインク層とを含んで構成されるのが好ましい（請求項４）。
【００１３】
すなわち、インク層は、接着層と異なり、シートに対する接着力が弱く、従って重なり合う面同士を引き剥がせばこのインク層で比較的簡単に剥離する。従って、この特性を利用して弱接着部を構成すれば、接着層を構成する接着剤として特殊な素材を用いなくても弱接着部を簡単に構成することができる。
【００１４】
具体的には、上記弱接着部は、折り畳み状態で重なり合う面の一方に上記接着層が形成され、他方にインク層の上層に接着層が積層され、各接着層が重ね合わされた状態で加圧されて接着されることにより形成されるのが好ましい（請求項５）。
【００１５】
このように構成すれば、シートを折り畳んで封筒を形成する場合に、重ね合わされる面の所定箇所を簡単に接着することができ、一方、封筒からシートに展開する場合に、インク層で剥離させることができる。従って、このように構成することにより、弱接着部を簡単に構成することができる。
【００１６】
この場合、上記強接着部は、その具体的構成を特に限定されるものではないが、例えば折り畳み状態で重なり合う面のそれぞれに接着層が形成され、各接着層が重ね合わされた状態で加圧されて接着することにより形成されるのが好ましく（請求項６）、上記弱接着部および強接着部の接着層は、ともに同一の素材により構成されているのが好ましい（請求項７）。
【００１７】
このように構成すれば、折り畳み状態で重なり合う面の少なくとも一方側の面であって弱接着部となる部分についてインク層を形成してからその上の接着層を強接着部の接着層と同時に設けることができ、これにより弱接着部となる部分を簡単に形成することができ、この封筒兼用封書用シートの製造効率が向上する。
【００１８】
また、この発明において、上記弱接着部は、シート折り畳み状態で切断誘因手段の一部長さに対応して並設されるものであってもよいが、上記弱接着部は、シート折り畳み状態で切断誘因手段の全長または略全長に亘って並設されているのが好ましい（請求項８）。
【００１９】
このように構成すれば、切断誘因手段の不測の損傷をより確実に防止することができる。ただし、弱接着部を切断誘因手段の一部長さに対応して並設する場合には、郵送行程で当該切断誘因手段の不測の損傷を防止する観点から、弱接着部の長さや配置態様が設定される。
【発明の効果】
【００２０】
この発明によれば、この封筒兼用封書用シートによって形成される封筒の切断誘因手段に不測の外力が作用する場合、例えば別個の内封物を封入したり情報シート片が連設されたり等して上記封筒の両端部と中央部との間で厚みが異なっている場合でも、弱接着部で接着力を確保して切断誘因手段の不測の破断を効果的に防止することができ、これにより郵送行程で内封物等が露出して情報が漏洩するのを有効に防止することができるという利点がある。しかも、封筒兼用封書用シートにより形成される封筒を開封展開する場合には情報を損傷することなく簡易に展開することができる。
【発明を実施するための最良の形態】
【００２１】
この発明に係る封筒兼用封書用シート（以下、単に「封筒用シート」という）を図面に示された一実施形態に基づいて説明する。
【００２２】
図１は、本実施形態に係る封筒用シートを示す平面図であり、図２は同封筒用シートの背面図である。ここで、この封筒用シート１の表面とは、後述する宛名情報欄６や情報欄７が設けられた面をいうものとする。
【００２３】
この封筒用シート１は、コート紙、上質紙等の紙等からなる所定幅の帯状長尺シートからなり、この一枚の帯状長尺シートが長手方向に折り畳まれ、所定箇所が接着されることにより、封筒２が形成される。この封筒用シート１は、その幅が定形郵便の長辺長さないしは長辺長さよりも若干長く設定され、その長手方向（図１及び図２では上下方向）に沿って所定の間隔でシートの幅方向（図１及び図２では左右方向）に延びる複数本（本実施形態では３本）の折目２０〜２２が略平行に設けられ、折り畳み状態で長方形状の封筒２が形成されるものとなされている。なお、本実施形態では折目２０〜２２にミシン目が形成され、各片を分離可能に構成されている。
【００２４】
図３は、本実施形態に係る封筒用シート１により形成された封筒を示す平面図であり、図４は、図３におけるＩＶ−ＩＶ線断面図である。図５は、図３におけるＶ−Ｖ線断面図である。この封筒２には、別途独立の内封物３０が挿入されている。
【００２５】
なお、本実施形態では、封筒用シート１は、定形郵便の長辺長さをその幅とした長尺シートが用いられているが、定形郵便の短辺長さをその幅とした長尺シートを用いるものであってもよい。また、この封筒用シート１により形成される封筒２は、定形郵便大ないしは定形郵便の大きさよりも若干大きく設定されているが、封筒２の大きさはこれに限るものではない。ただし、汎用性や送料等の使用勝手の観点から上記のように定形郵便大の封筒２となるように構成されるのが好ましい。
【００２６】
具体的には、この封筒用シート１は、折目２０を介して連設された一対の封筒本体片３ａ，３ｂと、この一対の封筒本体片３ａ，３ｂの一端部に折目２１を介して連設された封緘片４と、この封緘片４における上記一対の封筒本体片３ａ，３ｂ側と反対側の一端部に折目２２を介して連設された宛名情報片５とを有し、少なくともこれらの一対の封筒本体片３ａ，３ｂ、封緘片４、宛名情報片５が一連一体に設けられている。
【００２７】
封筒本体片３と封緘片４とは、各折目２０，２１を同一方向に折り曲げ（例えば山折りまたは谷折り）、すなわち巻き折りすることにより、封筒２が形成される。
【００２８】
この一対の封筒本体片３ａ，３ｂは、折目２０で２つ折りに折り畳まれ、封筒本体片３ａ，３ｂの幅方向両端部で接着されることにより封緘片４側に開口する封筒２を形成するものである。この一対の封筒本体片３ａ，３ｂのうち、封緘片４側の封筒本体片３ａは封筒用シート１の長手方向に対応する長さが定形郵便の短辺長さに設定され、他方の封筒本体片３ｂは一方の封筒本体片３ａよりも若干（封緘片４における封筒用シート１の長手方向に対応する長さよりも短い分だけ）短い長さに設定されている。なお、封筒本体片３ａ，３ｂの幅方向は、封筒用シート１の幅方向と同一の方向である。この封筒本体片３ａ，３ｂの具体的構造については、後述する。
【００２９】
この一対の封筒本体片３ａ，３ｂの表面、すなわち上記封筒２として構成された場合に隠蔽される封筒２内面の所定箇所には、名宛人特有の情報である個人情報等の各種情報が記載される情報欄７が設けられている。この情報欄７は、各封筒本体片３ａ，３ｂごとに設けられるものであってもよいし、一対の封筒本体片３ａ，３ｂに跨って設けられるものであってもよい。この情報欄７に記載される情報は、例えば銀行等の出納明細や電話会社、クレジット会社等の口座振替金額等がある。なお、情報欄７は、記載すべき箇所を特定する枠を有するものであってもよいし、上記枠が無いものであってもよい。
【００３０】
一方、一対の封筒本体片３ａ，３ｂの裏面、すなわち上記封筒２として構成された場合の封筒２の外側面に相当する面は、図示していないが、広告や送り主に関する情報が一部に記載されるとともに、上記情報欄７に記載された情報の透かし見を防止するためのマスク用柄が残部の略全面に配置されている。このマスク用柄は、特に限定されるものではないが、例えば情報欄７に記載される情報に文字や数字が含まれる場合にはこの記載されている文字や数字の大きさと略同じないしは近似する大きさの文字や数字が左右逆向きで配置したマスク用柄が採用される。また、マスク用柄としての文字や数字の太さを複数種類設け、これらを情報欄７に記載された文字や数字と略重なる状態で配置するのが好ましい。なお、この裏面が印刷等がなされていない、いわゆる無地面として構成されているものであってもよいことは言うまでもない。
【００３１】
封緘片４は、図３及び図４に示すように、上記一対の封筒本体片３ａ，３ｂにより形成される封筒２の開口部を封緘するためのものであり、上記封筒本体片３ａと宛名情報片５との間に介設されている。すなわち、この封緘片４は、封筒本体片３ａの一端部に折目２１を介して連設され、封筒本体片３ａの情報欄７が設けられた表面が内側に隠蔽されるようにこの一対の封筒本体片３ａ，３ｂとともに巻き折りして、封緘片４が連設されていない封筒本体片３ｂの上縁部に剥離可能に接着されるものとなされている。図４において１２として特定される構成部分はこの接着部分（封緘用接着部）を示す。この封緘片４の長さ（図１では上下方向の長さ）は、特に限定されるものではないが、紙片の節約の観点から、封筒本体片３ａ，３ｂよりも短く形成されるのが好ましく、宛名情報片５の長さを考慮して適宜設定される。なお、本実施形態では封緘片４の表面の一部にも情報欄７が設けられている。
【００３２】
宛名情報片５は、図１に示すように、宛名や宛先等の宛名情報を記載するためのものであり、したがってその長さは宛名情報を記載するのに十分な程度に設定される。この宛名情報片５は、上述のように、上記封緘片４における上記一対の封筒本体片３ａ，３ｂ側と反対側の一端部（図１では封緘片４の上端部）に折目２２を介して連設され、封筒２形成時には封緘片４側に折り返してこの封緘片４に接着保持される。本実施形態では、この宛名情報片５は、剥離可能な状態で封緘片４に接着されており、封筒２を開封展開する場合に、当該宛名情報片５も展開可能に構成されている。図４において１３として特定される構成部分はこの宛名情報片５の接着部分（宛名保持用接着部）を示す。そして、この折り返し状態で封筒２の表面側に位置する宛名情報片５の表面、すなわち上記封筒本体片３ａ，３ｂにおける情報欄７が設けられた面と同一側の面の所定位置に、上記宛名情報が記載される宛名情報欄６が設けられ、この宛名情報欄６に情報欄７に記載された情報に対応する宛名、宛先等が印字や記入等により記載されるものとなされている。
【００３３】
この宛名情報欄６は、この欄自体を印刷等により設けるものであってもよいが、この欄を宛名情報を記載するための空白部として設けるものであってもよい。図１及び図３は、宛名情報片５の左半部に宛名情報欄６を空白部として設け、この宛名情報欄６に宛名情報が印字により記載された状態で示している。なお、この宛名情報欄６の右半部に広告や差出人に関する情報が印刷、印字等されるものであってもよい。このように、封筒２を展開した状態である封筒用シート１は、宛名情報欄６と情報欄７とが同一面に設けられ、これにより情報欄７に記載される情報とこの情報に対応する宛名を一連の工程によって一挙に印字することができ、従って宛名情報と個人情報との不一致による誤送付を確実に防止することができる。
【００３４】
ここで、上記封筒用シート１を折り畳んで接着した封筒２における接着部分について説明する。
【００３５】
図４および図５に示すように、封筒２は、一対の封筒本体片３ａ，３ｂと封緘片４と宛名情報片５とを有し、一対の封筒本体片３ａ，３ｂおよび封緘片４がその幅方向両端部に設けられた強接着部１０およびこの強接着部１０のシート幅方向内側に当該強接着部１０に隣接して設けられた弱接着部１１で接着されている。強接着部１０は、折り畳み状態で重なり合う面を強固に接着する（永久接着する）もので、封筒２の状態でシート長手方向に対応する方向の略全長に亘って設けられている。弱接着部１１は、折り畳み状態で重なり合う面を剥離可能に接着するもので、強接着部１０の内側に当該強接着部１０に密接状態で並設されている。
【００３６】
これらの接着部１０，１１の位置関係を後述するミシン目１５（切断誘因手段）との関係で説明すると、強接着部１０はこのミシン目１５を基準にして封筒２の幅方向（封筒用シート１の幅方向）外側に配置されている。従って、このミシン目１５に沿って封筒本体片３ａ，３ｂ等が切除されると、強接着部１０も切り離されることになる。
【００３７】
一方、弱接着部１１はミシン目１５を基準にして封筒２の幅方向内側に配置されているとともに本実施形態では封筒２の幅方向外側であって上記強接着部１０の内側にも配置されている。すなわち、弱接着部１１はミシン目１５を跨いで配置されている。従って、このミシン目１５に沿って封筒本体片３ａ，３ｂ等が切除されると、封筒２はその幅方向外側が弱接着部１１によって剥離可能に接着されている状態となる。
【００３８】
なお、封緘片４と封筒本体片３ｂとの接着部分である封緘用接着部１２は、折り畳み状態で重なり合う封緘片４と封筒本体片３ｂの対向面を剥離可能に接着するもので、封筒２の幅方向に延びる折目２２に沿って断続的に設けられている。また、宛名情報片５と封緘片４との接着部分である宛名保持用接着部１３は、折り畳み状態で重なり合う宛名情報片５と封緘片４の対向面を剥離可能に接着するもので、封筒２の上端部側に封筒２の幅方向に沿って断続的に設けられている。
【００３９】
これらの接着部１０〜１３は、封筒用シート１の状態では次のように構成されている。なお、図１および図２において、後述する接着領域を囲繞する枠が印刷により設けられ、当該枠内に接着剤が配設されるものとなされているが、当該枠は接着剤の配設が所望の箇所になされたかを確認するためのものであり、従ってこの接着領域を囲繞する枠は適宜省略することができる。また、この枠内に接着剤を配設する手法は、例えば塗布、吹きつけ等の公知の手法が用いられる。
【００４０】
すなわち、封筒用シート１は、その表面側において、図１に示すように一対の封筒本体片３ａ，３ｂおよび封緘片４の幅方向左右両端部には、それぞれ、折り畳み接着された状態で強接着部１０となる強接着領域１０ａと、折り畳み接着された状態で弱接着部１１となる第１および第２弱接着領域１１ａ，１１ｂとが横並び状態で断続的に設けられている。そして、この表面側には、封緘片４における折目２２の近傍位置にシート幅方向に沿って第１封緘用接着領域１２ａが設けられている。
【００４１】
強接着領域１０ａは、接着剤が塗布されることにより接着層１００が形成されており（図６（ａ）参照）、折り畳み状態でこの接着層１００同士が重ね合わされて加圧接着されることにより強接着部１０を構成するものとなされている。
【００４２】
第１弱接着領域１１ａと第２弱接着領域１１ｂとは、折り畳み状態で互いに重ね合わされて加圧されることにより弱接着部１１を構成するものであり（図６（ｂ）参照）、本実施形態ではお互いその構成が異なっている。すなわち、第１弱接着領域１１ａは、上記強接着領域１０と同様に、接着剤が塗布されて形成された接着層１００により構成され、本実施形態では、一方の封筒本体片３ｂおよび封緘片４の表面に形成されている。一方、第２弱接着領域１１ｂは、シート上のインク層１１１およびこのインク層１１１上に積層された接着層１１０とにより構成され、本実施形態では他方の封筒本体片３ａの表面に形成されている。これらの第１弱接着領域１１ａと第２弱接着領域１１ｂは、折り畳み状態で相互に重ね合わされるものとなされており、上記したように加圧されて剥離可能な弱接着部１１を構成する。このように弱接着部１１が剥離可能となっているのは、折り畳み状態で重なり合う面の間にインク層１１１が介在することによる。すなわち、インク層１１１は接着層１１０に比べて接着保持力に乏しく、所定の剥離力で剥離させると比較的簡単に剥離されるからである。
【００４３】
なお、第１封緘用接着領域１２ａおよび後述する第２封緘用接着領域１２ｂも、第１および第２弱接着領域１１ａ，１１ｂと同様に形成されている。また、後述する第１および第２宛名保持用接着領域１３ａ，１３ｂも、第１および第２弱接着領域１１ａ，１１ｂと同様に形成されている。
【００４４】
一方、封筒用シート１は、その裏面側において、図２に示すように、一方の封筒本体片３ｂの下端縁部にはシート幅方向に沿って第２封緘用接着領域１２ｂが設けられるとともに、宛名情報片５の上端部（封緘片４の側と反対側の端部）にはシート幅方向に沿って第１宛名保持用接着領域１３ａが設けられ、かつ、封緘片４の下端縁部（封筒本体片３ａの側の端部）であって折目２１の近傍位置に第２宛名保持用接着領域１３ｂが設けられている。さらにこの裏面側には、そのシート幅方向両端部であって後述するミシン目１５の外側には封緘用接着領域１２ａ，１２ｂや宛名保持用接着領域１３ａ，１３ｂによる接着力を補強するため強接着領域と同様の構成の補助接着領域１４が設けられ、これにより郵送行程で剥離可能に構成された封緘用接着部１２や宛名保持用接着部１３が不測に剥離することを効果的に防止している。
【００４５】
なお、弱接着部１１を構成する弱接着領域１１ａ，１１ｂは各々異なる構成を有するものとなれているが、弱接着領域が全てに亘って同一の構成を有するものとしてもよい。この場合には、各弱接着領域は、例えば上記第２弱接着領域１１ｂと同様の構成が採用される。ただし、上記のように、一方側にのみ第２弱接着領域１１ｂを形成して重ね合わされる他方側に第１弱接着領域１１ａが形成されるものであれば、インク層１１１に用いられるインクの消費量を抑えて生産コストを抑制することができる点で有利である。
【００４６】
上記各接着層１００，１１０を構成する接着剤は、本実施形態では上述のように感圧接着剤が用いられている。この感圧接着剤は、感圧接着剤が塗布された部分同士が重ね合わされた状態で加圧することによりはじめて接着することができるもので、その成分等を特に限定するものではなく、公知の感圧接着剤が用いられる。この感圧接着剤は、例えばスチレン、アクリル酸アルキルエステル、アクリル酸共重合体、水性エマルジョン等の混合物が用いられ、剥離して内封物３０が脱落しないように、永久接着されるものが好ましい。この感圧接着剤を接着するには、上述のように各接着部同士を重ね合わせ、この状態において所定圧力で加圧すればよい。この加圧する場合の圧力は、例えばコート紙ならば約５００ｋｇｆ／ｃｍ2以上、上質紙ならば約７００ｋｇｆ／ｃｍ2以上に設定するのが好ましい。ここにいう感圧接着剤には、一定の加熱状態で加圧することにより良好な接着性を奏し得るものを含む趣旨である。
【００４７】
また、この封筒用シート１は、図１および図２に明示するように、幅方向両端縁部（図では左右両端縁部）には長手方向に沿ってミシン目１５が設けられ、開封時にこのミシン目１５に沿って少なくとも強接着部１０を含む両縁部を切り落とし可能に形成されている。このミシン目１５の各接着部１０，１１に対する位置関係は上記したのでここでは説明を省略する。
【００４８】
次に、本実施形態に係る封筒用シート１の製造方法及びこの封筒用シート１により封筒２を形成する方法について、各図を用いて説明する。なお、図６は、各接着部の接着、剥離状態を示す断面図であるが、この図において形成される接着層１００と接着層１１０との間の境界線は説明の便宜のために付しているのであり、実際にはこれらの接着層１００，１１０は一体のものとして形成されている。
【００４９】
まず、無地または予め下地が印刷された長尺シートにおける表面（片面）に宛名情報欄６及び情報欄７を印刷し、或いはこれらの欄６，７を空白部として設ける。そして、この長尺シートにおける上記した所定箇所にミシン目１５を形成するとともに、長尺シートの上記した第２弱接着領域１１ｂに相当する部分に所定のインクで印刷してインク層１１１を形成する。これにより、第２弱接着領域１１ｂのインク層１１１がミシン目１５を跨いだ状態で設けられる。その後、強接着領域１０ａ、第１および第２弱接着領域１１ａ，１１ｂに相当する部分に感圧接着剤を一挙に塗布した後乾燥させて接着層１００，１１０を形成し、これにより強接着領域１０ａ、第１および第２弱接着領域１１ａ，１１ｂを形成する。
【００５０】
このようにして、強接着領域１０ａがミシン目１５の外側に形成され、かつ、第１および第２弱接着領域１１ａ，１１ｂを強接着領域１０ａに隣接した位置にミシン目１５を跨いだ状態に設けられた封筒用シート１が形成される。この封筒用シート１には、予め折目が設けられていてもよいが、後述するように封筒２形成過程で折り機等によって折目を形成してもよい。
【００５１】
そして、この封筒用シート１における宛名情報欄６に宛名情報を及び情報欄７にその宛名情報に対応する個人情報を片面印刷機による一連の工程により印字する。
【００５２】
次に、上記処理がなされた封筒用シート１を、折り機等により、その長さ方向に折り畳む。具体的には、図１において、折目２０を谷折りして一対の封筒本体片３ａ，３ｂを二つ折り状に折り畳み、図４に示すように、情報欄７を内側に隠蔽する。
【００５３】
次に、上記封筒用シート１と別個独立の内封物３０を封入する。具体的には、図１において折目２０を谷折りして封筒本体片３を二つ折り状に折り畳む（図６（ａ）参照）。このとき、封筒本体片３ａ，３ｂに設けられた強接着領域１０ａおよび弱接着領域１１ａ，１１ｂはそれぞれ重なり合った状態にあるが、封緘片４および宛名情報片５は各々対応する紙片に重なり合っておらず、各紙片に設けられた接着領域も重なり合っていない状態にある。そして、折目２１を折り畳む前に、この折り畳み状態にある封筒用シート１を所定条件下で加圧、或いは加熱加圧すると、上記相互に重なり合った強接着領域１０ａの接着層１００および相互に重なり合った第１および第２弱接着領域１１ａ，１１ｂの接着層１１０のみが接着して（図６（ｂ）参照）封緘片４側に開口する封筒２が形成される。この封筒２の開口部から例えば封入封緘機により別個独立の内封物３０を挿入して、封緘片４をその折目２１で折り畳み（図１で谷折り）、封筒本体片３ａ，３ｂに重ね合わせる一方、宛名情報片５をその折目２２で折り返し（図１で山折り）封緘片４に重ね合わせる。続いて、所定条件下でさらに加圧、或いは加熱加圧して、強接着部１０および弱接着部１１等が形成され、別個独立の内封物３０が封入された封筒２が形成される。
【００５４】
この封筒シート１により形成された封筒２によれば、外力が作用しても、強接着部１０だけでなく、ミシン目１５の内側に弱接着部１１が配設されているので、封筒２の厚み方向に作用する外力（例えば封筒２を拡開させる方向の外力）が直ちかつ直接的に作用せず、当該外力はまず弱接着部１１に作用することになる。従って、封筒２に外力が作用しても、特に自動仕分け装置においてローラで高速搬送されている際に封筒２に厚み方向の外力が作用しても、従来の封筒用シートによって形成された封筒と異なり、ミシン目１５の不測の破断を効果的に防止することができ、郵送行程で内封物３０が露出する等の情報漏洩を有効に防止することができる。
【００５５】
そして、この封筒２は次のようにして開封展開する。すなわち、図３に示すように、封筒２の幅方向左右両端部をミシン目１５に沿って切り離すと、図６（ｃ）に示すように、封筒２の幅方向両端部が弱接着部１１だけによって接着された状態となる。そして、剥離可能に構成された封緘用接着部１２および宛名保持用接着部１３を剥離するとともに弱接着部１１を剥離することにより、封筒２を封筒用シート１に展開する。このとき、この弱接着部１１、封緘用接着部１２および宛名保持用接着部１３は、インク層１１１の上に接着層１１０が形成されているので、図６（ｄ）に示すように、インク層１１１ないしはインク層１１１と長尺シートとの間で比較的簡単に剥離させることができる。従って、これらの接着部１１，１２，１３の剥離にあたって長尺シートを破断する等して封筒用シート１に表示された情報を損傷することもない。
【００５６】
なお、以上に本実施形態に係る封筒用シート１について説明したが、この発明に係る封筒用シート１は、上記実施形態に限定されるものではなく、その趣旨を逸脱しない範囲で種々の変更が可能である。例えば、以下のような変更が可能である。
【００５７】
（１）上記実施形態では、封筒用シート１に宛名情報片５が設けられたものについて説明したが、この宛名情報片５は適宜省略することができる。
【００５８】
（２）上記実施形態では、強接着部１０と弱接着部１１とを隣接して設けたが、これらの各接着部１０，１１を所定の間隙を空けて離間した状態で設けてもよい。ただし、上記実施形態のように隣接した状態で設けると、情報欄７を比較的広く設けることができ、記載可能な情報量が増大する点で有利である。また、上記実施形態では、弱接着部１１がミシン目１５を跨いだ状態で設けられているが、弱接着部１１の外側縁がミシン目１５と接する状態に弱接着部１１を設けてもよく、言い換えると、弱接着部１１とこれと隣接する強接着部１０との間にミシン目１５が設けられるものであってもよい。
【００５９】
（３）個人情報が比較的多く、本実施形態の封筒本体片３ａ，３ｂの情報欄７に記載しきれない場合には、例えば図７に示すように、この封筒用シート１に情報シート片５０を連設し、この情報シート片５０に設けられた拡大個人情報欄５７に記載するようにしてもよい。
【００６０】
すなわち、図７は、この発明の封筒用シートの他の実施形態を示す。この他の実施形態に係る封筒用シート１５０は、折目２０を介して連設された一対の封筒本体片３ａ，３ｂと、この一対の封筒本体片３ａ，３ｂの一端部に折目２１を介して連設された封緘片４と、この封緘片４における上記一対の封筒本体片３ａ，３ｂ側と反対側の一端部に折目２２を介して連設された宛名情報片５と、上記一対の封筒本体片３ａ，３ｂにおける上記封緘片４側と反対側の一端部に折目７０を介して連設された一片ないし複数片の情報シート片５０とを備え、これらの各片が一連一体に設けられている。
【００６１】
この実施形態では、封筒本体片３ａ，３ｂは封筒用シート１５０の長手方向に対応する長さが略同一の長さに形成されている。
【００６２】
情報シート片５０は、その封筒用シート１５０の長手方向における長さが封筒本体片３ａ，３ｂの対応する辺長さ（本実施形態では短辺）を上限として適宜設定される。本実施形態では、折目７０〜７２を介して３片連設されているが、その枚数は問わない。また、各情報シート片５０の長さは、本実施形態のように統一して同じ長さに揃えるようにしても良いし、あるいは情報シート片５０ごとに異なる長さに設定しても良い。
【００６３】
また、情報シート片５０は、図６に示すように、少なくともその表面側に名宛人特有の情報である個人情報を含む各種情報が記載される拡大情報欄５７が設けられている。この拡大個人情報欄５７は、各情報シート片５０ごとにあるいは隣接する一片ないし複数片の情報シート片５０に跨って設けられている。
【００６４】
この情報シート片５０は、蛇腹状に折り畳まれた状態で、上記一対の封筒本体片３ａ，３ｂの間に折り込まれる。そして、この際に一対の封筒本体片３ａ，３ｂと複数片の情報シート片５０とにおけるお互いに重なり合う面の左右両端縁部を強接着部および弱接着部を形成する強接着領域１６０および弱接着領域１６１において接着して封筒が形成されるものとなされている。これらの強接着領域１６０はミシン目１５の外側に設けられるとともに弱接着領域１６１はミシン目１５の左右両側に設けられ、これらの強接着領域１６０及び弱接着領域１６１は封筒用シート１５０の長手方向に連続して設けられている。また、弱接着領域１６１は、上記第２弱接着領域１１ｂと同様に形成されている。
【００６５】
なお、本実施形態では、封緘用接着領域１６３は、永久接着で接着されるように上記実施形態における強接着領域１０ａと同様に形成されている。従って封緘片４を切り離すために折目１６４と略一致する位置にミシン目１７２が設けられている。
【００６６】
（４）上記実施形態では、封筒用シート１として、その各接着領域に予め接着剤が塗布されているものを用いたが、各接着領域ないし一部の接着領域には予め接着剤が塗布されていなくても良く、例えば封筒形成工程において接着剤が塗布されるものであってもよい。ただ、各接着領域に予め接着剤を塗布しておけば、簡易且つ迅速に封筒を形成することができる点で有利である。
【００６７】
（５）上記実施形態では、接着領域に塗布される接着剤として、上記各接着層同士が互いに重ね合わされた状態で加圧することによりはじめて接着することができる感圧接着剤を用いたが、接着剤としてその他の公知の接着剤、例えば再湿接着剤等を用いるものであってもよい。ただし、本実施形態のように接着剤として各接着部同士が互いに重ね合わされた状態で加圧することによりはじめて接着することができる感圧接着剤を用いれば、例えばこの封筒用シートにより形成される封筒にこの封筒用シートとは別の内封物を封入しない場合には、加圧するという一工程で封筒を形成することができ、作業効率が向上し、しかも例えば封筒内に内封物を封入する場合には、封緘片を封筒本体片に重ね合わせない状態で加圧することにより、封緘用接着部に支障を来すことなく封緘片側に開口した封筒を形成することができ、この開口から別個独立の内封物を封筒内に挿入することができ、使用勝手が向上する点で好ましい。
【００６８】
（６）上記実施形態では、封筒用シート１が折り畳まれるとともに所定箇所が接着されて封筒２として形成された場合に、ミシン目１５がこの封筒２の長手方向（封筒用シート１の長手方向に対応する方向）の全長に亘って設けられるとともに弱接着部１１が当該ミシン目１５と平行にこの封筒２の長手方向の略全長に亘って設けられているが、ミシン目１５に対する弱接着部１１の長さはこれに限定されるものではない。例えば、弱接着部１１をミシン目１５に対して短く形成するものであってもよく、好ましくは弱接着部１１の長さがミシン目１５の長さに対して半分程度の長さに設定すれば、接着剤の量を減らし筒、ミシン目１５の不測の損傷を効果的に防止することができる。
【図面の簡単な説明】
【００６９】
【図１】本実施形態に係る封筒用シート示す平面図である。
【図２】同封筒用シートを示す背面図である。
【図３】本実施形態に係る封筒用シートにより形成され封筒を示す平面図である。
【図４】図３におけるＩＶ−ＩＶ線断面図である。
【図５】図３におけるＶ−Ｖ線断面図である。
【図６】各接着部の接着、剥離状態を示す拡大断面図である。
【図７】他の実施形態に係る封筒用シートを示す平面図である。
【符号の説明】
【００７０】
１          封筒用シート
２          封筒
３ａ，３ｂ  封筒本体片
４          封緘片
５          宛名情報片
６          宛名情報欄
７          個人情報欄
１０        強接着部
１１        弱接着部
１５        ミシン目
１００      接着層
１１０      接着層
１１１      インク層
【図１】
2006182435.tif 000003
【図２】
2006182435.tif 000004
【図３】
2006182435.tif 000005
【図４】
2006182435.tif 000006
【図５】
2006182435.tif 000007
【図６】
2006182435.tif 000008
【図７】
2006182435.tif 000009